(57)【要約】【課題】一体成形で羽根先端部を押さえるガイド形状を形成した地板を用いるシャッタ装置において、羽根の走行終了時に、羽根先端部を地板に配置された弾性部材に確実に当接させるようにする。【解決手段】露光用の開口部を有する地板と、複数の羽根を有し、複数の羽根が重畳して開口部を開いた状態から、複数の羽根が展開して開口部を閉じた状態になるように走行する後羽根群と、地板との間で後羽根群を挟むように保持する仕切板と、の羽根を有し、複数の羽根が展開して開口部を閉じた状態から、複数の羽根が重畳して開口部を開いた状態になるように走行する先羽根群と、仕切板との間で先羽根群を挟むように保持するカバー板と、後羽根群と先羽根群の走行終了時の衝撃を緩和する弾性部材と、を備え、地板は合成樹脂から形成され、後羽根群の先端部をガイドするガイド部であって、後羽根群が走行する方向に向かって、地板から仕切板に向かう高さが徐々に低くなるように設けられたガイド部が地板に一体成形されている。【選択図】図２
2014016581.tif 000002
【特許請求の範囲】
【請求項１】
露光用の開口部を有する地板と、
複数の羽根を有し、該複数の羽根が重畳して前記開口部を開いた状態から、前記複数の羽根が展開して前記開口部を閉じた状態になるように走行する後羽根群と、
前記地板との間で前記後羽根群を挟むように保持する仕切板と、
複数の羽根を有し、該複数の羽根が展開して前記開口部を閉じた状態から、前記複数の羽根が重畳して前記開口部を開いた状態になるように走行する先羽根群と、
前記仕切板との間で前記先羽根群を挟むように保持するカバー板と、
前記後羽根群と前記先羽根群の走行終了時の衝撃を緩和する弾性部材と、を備え、
前記地板は合成樹脂から形成され、前記後羽根群の先端部をガイドするガイド部であって、前記後羽根群が走行する方向に向かって、前記地板から前記仕切板に向かう高さが徐々に低くなるように設けられたガイド部が前記地板に一体成形されていることを特徴とするシャッタ装置。
【請求項２】
前記ガイド部は、前記後羽根群のスリット形成羽根が前記弾性部材に当接する位置もしくはその手前において、なくなっていることを特徴とする請求項１に記載のシャッタ装置。
【請求項３】
前記ガイド部の前記地板から前記仕切板に向かう高さは、前記後羽根群のスリット形成羽根が前記弾性部材に当接する位置において、前記弾性部材の前記地板から前記仕切板に向かう高さよりも低くなるように設けられていることを特徴とする請求項１に記載のシャッタ装置。
【請求項４】
請求項１から３のいずれか１項に記載のシャッタ装置を備えることを特徴とする撮像装置。
【発明の詳細な説明】
【技術分野】
【０００１】
本発明は一眼レフカメラに用いられるフォーカルプレンタイプのシャッタ装置に関するものである。
【背景技術】
【０００２】
デジタル一眼レフカメラに採用されているフォーカルプレンシャッタ装置は、一般に、略中央部に露光用の開口部を有し、相互に取り付けられた二つの地板（通常、一方の地板をシャッタ地板と称しており、他方の地板はカバー板、補助地板などと称されている）の間に、先羽根群と後羽根群とを配置している。
【０００３】
各羽根群は、一端部を一方の地板に枢着されている少なくとも二つのアームに、それらの他端部に向けて複数枚の羽根を順次枢支した構成をしており、最先端部に枢支された羽根がスリット形成羽根となっている。そして、各羽根群のアームの一つには、枢着部に近い位置に孔が形成されている。
【０００４】
また、二つの地板の間には、仕切板と称される板部材を設け、先羽根群と後羽根群の作動領域を分離し、両者が作動上干渉しないようにしている。また、一方の地板には、先羽根用駆動部材と後羽根用駆動部材が往復回転可能に取り付けられていて、夫々の駆動部材の作動ピンが、上記したアームの孔に嵌合している。
【０００５】
そのため、各羽根群の複数枚の羽根は、アームが作動ピンによって一方向へ回動すると、相互の重なりを少なくして展開し、他方向へ回動すると、重畳されるようになっている。そして、シャッタのセット状態においては、先羽根群が展開状態となって露光用の開口部を覆い、後羽根群は重畳状態となって露光用の開口部から退避させられている。また、露光作動の終了直後の状態においては、先羽根群は重畳状態となって上記の開口部から退避し、後羽根群は展開状態となって開口部を覆うようになっている。
【０００６】
更に、先羽根用駆動部材と後羽根用駆動部材は、露光作動時には、通常、夫々の駆動ばねの付勢力によって一方向へ回転され、セット作動時には、それらの駆動ばねの力に抗しセット部材によって逆方向へ回転されるようになっている。
【０００７】
また、露光作動時にもセット作動時にも、各駆動部材を、夫々のモータによって作動させるようにしたものも提案されている。また、各駆動ばねによって各駆動部材に露光作動を行わせるものは、過去においては、各露光作動のスタートを機械的に制御するようにしたものもあったが、現在では、その殆どが電磁石を介して制御するようになっている。
【０００８】
そして、電磁石を用いる場合にも、その構成の違いによって、二つのタイプに分けることができる。即ち、その一つは、露光作動開始位置においては、各駆動部材が各々の係止部材によって機械的に係止されていて、各電磁石に吸着されていた夫々の鉄片部材の作動によってそれらの係止を順次解除するようにしたものであって、通常、係止タイプと言われているものである。また、もう一つのタイプのものは、鉄片部材が夫々各駆動部材に設けられていて、露光作動開始位置においては、各々の電磁石が各駆動部材を直接吸着保持しており、その吸着を、所定のタイミングで順次解くようにしたものであって、通常、ダイレクトタイプと言われているものである。
【０００９】
ところで、このような構成の各羽根群は、露光作動時に高速で作動させられるため、停止時にはストッパに衝突して強い衝撃を受けることになる。そして、この衝突によって各羽根群は走行方向へ慣性力でさらに移動しようとし、羽根自体を撓ませて変形しながら羽根先端側がさらに走行方向へ変位する。この変位が多いと羽根が撓み部から破損するなど羽根の耐久性に影響がでてくるため、変位した羽根先端部を受けるように、地板に弾性部材を配置して羽根への衝撃を緩和させる方法が知られている。
【００１０】
先羽根群を受ける弾性部材と後羽根群を受ける弾性部材がそれぞれ別に配置される場合や、その弾性部材が一体になっている場合もある。また、弾性部材はブチルやクロロプレンなどのゴムから成っている場合や、モールド成型により地板と一体になっている場合もある。
【００１１】
一方、羽根は走行開始時、走行中、および走行終了時それぞれ、光軸方向に暴れながら走行していることが知られている。羽根の暴れが大きいと羽根の重なりが少なくなるため光線漏れが発生しやすくなり、また暴れ自体が羽根の耐久性に影響を与えてしまうため、羽根の暴れは可能な限り低減しなければならない。
【００１２】
羽根の暴れを低減するために現在知られている手段としては、羽根の先端部を仕切板と羽根押え板で挟み込むように構成し、仕切板を地板に対して斜めに、羽根が展開するに従って仕切板と羽根押え板との空間が狭くなるように配置する方法がある。
【００１３】
さらに近年は地板やカバー板がモールド成形にて作製される場合が増え、設計や形状の自由度が増している。そこで、羽根押え板の形状を羽根先端部を押えるガイドとして地板と一体成形することで羽根押え板を必要とせずに同等の性能を保持するように構成し、コストダウンを図っているものもある。また、一体成形したガイド部を光軸方向に斜めに設定し、羽根が展開されるにしたがって仕切板との空間が狭くなるように構成しているものもある。
【先行技術文献】
【特許文献】
【００１４】
【特許文献１】実開昭５９−４５２５号公報
【特許文献２】特許第３６６２９９１号公報
【発明の概要】
【発明が解決しようとする課題】
【００１５】
しかしながら、一体成形で羽根先端部のガイド形状を形成した地板に、羽根先端が撓んだときに羽根を受けるための弾性部材を配置するように組み合わせる場合、従来では次のような問題があった。すなわち、従来は、独立した部品であった羽根押え板自体が撓むことで羽根が弾性部材に当接していたが、一体成形ではガイド形状部がまったく撓まないため、後羽根のスリット形成羽根がガイド形状部に沿って走行しても、羽根が撓んだときに羽根先端を受ける弾性部材がガイド形状部より地板から仕切板側に高く設定されていないと、羽根先端が弾性部材に当たらない状態となってしまう。また、その高さが少ない場合も、羽根の撓み方によって羽根が弾性部材を空振りする状況が高い確率で発生することになる。弾性部材をガイド形状部より十分高く設定すると、仕切板を押し上げることになってしまい、先羽根群の走行スペースを圧迫してしまう。また、この状態で圧迫しないように先羽根群の走行スペースを確保すると羽根室全体が大きくなってしまう。
【００１６】
本発明は、上述した課題に鑑みてなされたものであり、その目的は、一体成形で羽根先端部を押さえるガイド形状を形成した地板を用いるシャッタ装置において、羽根の走行終了時に、羽根先端部を地板に配置された弾性部材に確実に当接させるようにすることである。
【課題を解決するための手段】
【００１７】
本発明に係わるシャッタ装置は、露光用の開口部を有する地板と、複数の羽根を有し、該複数の羽根が重畳して前記開口部を開いた状態から、前記複数の羽根が展開して前記開口部を閉じた状態になるように走行する後羽根群と、前記地板との間で前記後羽根群を挟むように保持する仕切板と、複数の羽根を有し、該複数の羽根が展開して前記開口部を閉じた状態から、前記複数の羽根が重畳して前記開口部を開いた状態になるように走行する先羽根群と、前記仕切板との間で前記先羽根群を挟むように保持するカバー板と、前記後羽根群と前記先羽根群の走行終了時の衝撃を緩和する弾性部材と、を備え、前記地板は合成樹脂から形成され、前記後羽根群の先端部をガイドするガイド部であって、前記後羽根群が走行する方向に向かって、前記地板から前記仕切板に向かう高さが徐々に低くなるように設けられたガイド部が前記地板に一体成形されていることを特徴とする。
【発明の効果】
【００１８】
本発明によれば、一体成形で羽根先端部を押さえるガイド形状を形成した地板を用いるシャッタ装置において、羽根の走行終了時に、羽根先端部を地板に配置された弾性部材に確実に当接させることが可能となる。
【図面の簡単な説明】
【００１９】
【図１】本発明の一実施形態に係わるシャッタ装置の構成を示す分解斜視図。
【図２】一実施形態のシャッタ装置を組み立てた状態でのガイド部側面から見た概略図。
【図３】一実施形態のシャッタ装置の走行終了状態でのガイド部側面から見た概略図。
【発明を実施するための形態】
【００２０】
以下、本発明の一実施形態について、添付図面を参照して詳細に説明する。
【００２１】
図１は本発明の一実施形態に係わるシャッタ装置の構成を示す分解斜視図である。図２は一実施形態のシャッタ装置を組み立てた状態でのガイド部側面から見た概略図である。図３は、一実施形態のシャッタ装置の走行終了状態でのガイド部側面から見た概略図である。側面から見た概略図は、本実施形態の主眼となっているガイド部、後羽根のスリット羽根用弾性部材、羽根が見えやすいように、それ以外の不要な部材は省略している。
【００２２】
合成樹脂製で露光用の開口部を有する地板１に複数の後羽根からなる後羽根群４、地板１との間で後羽根群４を挟むように保持する仕切板２、複数の先羽根からなる先羽根群５、仕切板２との間で先羽根群５を挟むように保持するカバー板３が順に取り付けられている。後羽根群４は地板１と仕切板２に挟まれており、羽根先端部はガイド部１ａと仕切板２の間を走行する。先羽根群５は仕切板２とカバー板３に挟まれており、羽根先端部は先羽根群用スペーサ７と仕切板２の間を走行する。羽根の走行終了時の羽根先端のオーバーランを受ける（羽根先端の停止の衝撃を緩和する）弾性部材６は、地板１に取り付けられている。弾性部材６は、先羽根群５が当接する先羽根当接部６ａと、後スリット羽根４ａが当接する後羽根当接部６ｂとを持つ一体の弾性部材である。ただし、弾性部材６は先羽根群５が当接する部分と後スリット羽根４ａが当接する部分とがそれぞれ別部品となっていてもよい。弾性部材６はブチルゴム、クロロプレンゴムなどの弾性をもった材料から形成されている。カバー板３は金属製でもよいし、合成樹脂製でもよい。
【００２３】
先羽根群５、後羽根群４は図２の上から下へ走行し、後羽根群のスリット形成羽根４ａはもっとも地板１側に配置されている。図２では、先羽根群５は展開して開口部を覆っており、後羽根群４は重畳して開口部を開いている。また、先羽根群のスリット形成羽根はもっともカバー板３側に配置されている。後スリット羽根４ａは地板１の羽根先端側に地板１と一体成形された羽根先端のガイド部１ａの傾斜（地板１から仕切板２に向かう方向の高さが徐々に低くなる傾斜）に沿って走行する。走行終了時又はその手前ではガイド部１ａがなくなり羽根先端の地板１からの高さは弾性部材６の後羽根当接部６ｂの地板１からの高さより低くなっているため、後スリット羽根４ａはオーバーラン状態で後羽根当接部６ｂに、より確実に当接する。ガイド部１ａに傾斜部がない場合、ガイド部は走行終了位置まで走行前の高さと同じであるため、後スリット羽根４ａはガイド部に押し上げられて後羽根当接部６ｂに当たりにくくなり、空振りする確率が増大してしまう。
【００２４】
本実施形態では、後羽根群４が地板側に配置されている場合を示したが、先羽根群５と後羽根群４が入れ替わった場合でも、弾性部材６をカバー板３側に配置し、ガイド部１ａをカバー板３の仕切板側に設定することで、この構成をそのまま適用することができる。
【００２５】
なお、本実施形態のシャッタ装置は、一眼レフタイプのデジタルカメラ等の撮像装置に搭載されて使用される。
【符号の説明】
【００２６】
１    地板
１ａ  ガイド部
２    仕切板
３    カバー板
４    後羽根群
４ａ  後スリット羽根
５    先羽根群
６    弾性部材
６ａ  先羽根当接部
６ｂ  後羽根当接部
７    先羽根群用スペーサ
【図１】
2014016581.tif 000003
【図２】
2014016581.tif 000004
【図３】
2014016581.tif 000005